(57)【要約】【課題】手で押さえることなく長時間の眼部マッサージができ、頭に被せて設置するだけで眼部をマッサージし、手軽に目の疲労を取り除く眼部マッサージ器を提供する。【解決手段】眼部マッサージ器は、主に磁力器１と磁力器支持バンド３０から構成される。そのうち、磁力器１は握り部１０、永久磁石１３及び眼部差込カバー１４を含む。この握り部１０上の凹槽１４６から永久磁石１３をその中に納置し、眼部差込カバー１４で嵌合する。他に磁力器支持バンド３０にはカバー枠３６があり、カバー枠３６前端は軟質材で構成されたカバー体３２で、眼球に合うように前端の適する位置にそれぞれ穿孔３１が穿設される。この穿孔３１に磁力器１を差し入れる。更に磁力器支持バンド３０の両側にそれぞれベルト差込塊３４が固定され、それを末端に結合部３３１が設置された調節式伸縮ベルト３３を差し込む。【選択図】  図１
0003102470.tif 000002
【実用新案登録請求の範囲】
【請求項１】
磁力器及び磁力器支持バンドから構成された眼部マッサージ器において、
カバー枠が設置され、そのカバー枠前端はゴム材質で構成されるカバー体で、それには眼球に合う前端の適する位置に穿孔が穿設され、その穿孔に磁力器を設置する磁力器支持バンドで、
別に磁力器支持バンド両側にはバンド差込塊が固定され、そこに両端に結合部が設置された調節式伸縮ベルトが差込まれることを特徴とする眼部マッサージ器。
【請求項２】
前記カバー枠とカバー体は、硬質材で構成され、カバー体の穿孔にはゴムリングが設置されることを特徴とする請求項１記載の眼部マッサージ器。
【請求項３】
前記磁力器は、磁性部品が含まれることを特徴とする請求項１記載の眼部マッサージ器。
【考案の詳細な説明】
【技術分野】
【０００１】
本考案は、眼部マッサージ器に関するもので、手軽に使用し、力要らずのものである。
【背景技術】
【０００２】
現代、都市環境での生活は、高いビルに囲まれ、遠くを見ることはできず、人々の目は長時間の過労にも関わらず、休むことなく本を読む。また字を書く姿勢が悪かったり、明るさが不足していたり、長時間電磁波を浴びてテレビを見たりと、目に負担をかけることが多いと、視力は衰えてしまう。
【０００３】
このため、業界では、この問題に関して眼部マッサージ器を提案している（例として特許文献１―視力のための磁力マッサージ器二）。これは、マッサージ棒を含み、このマッサージ棒の一端に開口が設置され、その開口端底部に納置部が形成され、そこに永久磁石を納置する。また最上端には凹槽が成形され、その底端には槽孔に嵌めこむ。これは磁気振動原理を利用して眼部周辺のツボを刺激し、視覚神経をリラックスさせ、括約筋等の弾性を調整するものである。磁気物理法によって、目に元から具わっている調節機能を回復させ、眼球の焦点距離を調整する自然治癒能力を回復させる。
【特許文献１】台湾特許  第８５２１８８６５号
【考案の開示】
【考案が解決しようとする課題】
【０００４】
しかしながら、この種の眼部マッサージ器は、作動中、常に手で眼部周辺のツボ及び筋肉を押さえていなければならず、且つ長期及び長時間に亘って使用されなければならないのに、手が疲れて押さえていられなくなる。そのため、時間がたつにつれて使用者は飽きてしまって使用しなくなり、眼部マッサージ器によって得られるであろう効果は得られず、実用的でない。解決しようとする問題点は、手軽に、力を使うことなく使用できない点である。
【課題を解決するための手段】
【０００５】
本考案は、主に磁力器と磁力器支持バンドから構成される。そのうち、磁力器は握り部、永久磁石及び眼部差込カバーを含む。この握り部上の凹槽から永久磁石をその中に納置し、眼部差込カバーを嵌合する。他に磁力器支持バンドにはカバー枠があり、カバー枠前端は軟質材で構成されたカバー体が成形され、眼球に合うように前端の適する位置にそれぞれ穿孔が穿設される。この穿孔に磁力器を差し入れる。更に磁力器支持バンドの両側にそれぞれベルト差込塊が固定され、それを末端に結合部が設置された調節式伸縮ベルトを差し込むことを最も主要な特徴とする。
すなわち、本考案の眼部マッサージ器は、
主に磁力器及び磁力器支持バンドから構成された眼部マッサージ器において、
カバー枠が設置され、そのカバー枠前端はゴム材質で構成されるカバー体で、それには眼球に合う前端の適する位置に穿孔が穿設され、その穿孔に磁力器を設置する磁力器支持バンドで、
別に磁力器支持バンド両側にはバンド差込塊が固定され、そこに両端に結合部が設置された調節式伸縮ベルトが差込まれることを特徴とする。
また、前記カバー枠とカバー体は、硬質材で構成され、カバー体の穿孔にはゴムリングが設置されることを特徴とする。
さらに、前記磁力器は、磁性部品が含まれることを特徴とする。
【考案の効果】
【０００６】
本考案の眼部マッサージ器は、手で押さえることなく長時間の眼部マッサージができ、頭に被せて設置するだけで眼部をマッサージし、手軽に目の疲労を取り除く。実用性が高く、使用が楽、更に操作も簡単で、構造が簡単でありながら、最大の効果を具え、大幅に生産コストを下げるという利点がある。
【考案を実施するための最良の形態】
【０００７】
（実施例１）
図１に示すとおり、本考案は、磁力器支持バンド３０及び磁力器１を含む。
【０００８】
前記磁力器１（図４，５参照）は、眼部差込カバー１４、永久磁石１３及び握り部１０から構成される。
【０００９】
この永久磁石１３は、細長の円柱形で、良好な磁石で製造される。強力磁場の誘導によって、強力な磁力を具える。
【００１０】
眼部差込カバー１４の前段部１４１と後段部１４２は、大きさの異なる円柱で、そのうち、後段部に設置される槽孔１４３の直径と永久磁石１３の直径は同じである。また、眼部差込カバー１４前段部１４１には、凹槽１４６が成形され、その凹槽１４６底は底平面１４５で、底面に相対する最前端縁には環唇１４４が設置される。
【００１１】
握り部１０の一端には凹塊が成形され、別の一端には開口端１２が成形される。この開口端１２には納置部１１が穿設され、そこに永久磁石１３を嵌入する。握り部１０に眼部差込カバー１４嵌めこむ場合、必要に応じて握り部１０と眼部差込カバー１４間を粘着もしくはハンダ付けし、表面処理を施すと、外れなくなる。
【００１２】
この磁力器支持バンド３０にはカバー枠３６があり、このカバー枠３６前端は軟質材で構成されたカバー体３２で、このカバー体３２の適する位置にはそれぞれ穿孔３１が穿設され、その穿孔３１に磁力器１を入れる。この他、磁力器支持バンド３０の両側にはバンド差込塊３４が固定され、それを末端に結合部３３１が形成された調節式伸縮ベルト３３に差込む。
【００１３】
図２，３及び図１，５に示すとおり、作動時、調節式伸縮ベルト３３を磁力器１の凹塊１５に嵌め込み、本考案を頭上に設置する。そして磁力器１を軽く眼部に置き、最適な状態に調節する。そして結合部３３１を相互に粘着して眼部マッサージ器を頭上に固定する。調節式伸縮ベルトの締め具合を調節することによって、内部作用が磁力器１に伝わり、磁力器１上の環唇１４４と眼球の接触によってマッサージの効果を得る。同時に永久磁石１３が発する磁力線が眼部差込カバーの凹槽１４６と底平面１４５を通し、磁気振動原理による治療法により、視神経を活発化し、網膜の詰まりを通し、眼球に元々具わる調節機能を回復し、焦点の自然治癒能力を自動的に調節して視力を改善する。
【００１４】
この他、本考案の磁力器１は小角度の回転をする。必要時、磁力器１をゆっくりと左右上下に移動回転すると、眼部周辺のツボ及び筋肉に対して更に良い効果を得られ、視力改善が加速する。
【００１５】
（実施例２）
本考案の別の実施例として、図６に示すとおり、カバー枠３６とカバー体３２が硬質材で構成されており、カバー体３２の穿孔３１にはゴムリング３５が設置される。機能及び使用は、上述の実施例と同じである。
【図面の簡単な説明】
【００１６】
【図１】本考案である眼部マッサージ器の構造立体図である。
【図２】本考案である眼部マッサージ器の俯瞰断面図である。
【図３】本考案である眼部マッサージ器の側面断面図である。
【図４】本考案である眼部マッサージ器の磁力器外観指示図である。
【図５】本考案である眼部マッサージ器の磁力器構造分解図である。
【図６】本考案別の眼部マッサージ器の構造立体図である。
【符号の説明】
【００１７】
１        磁力器
１０        握り部
１１        納置部
１２        開口端
１３        永久磁石
１４        眼部差込カバー
１４１        前段部
１４２        後段部
１４３        槽孔
１４４        環唇
１４５        底平面
１４６        凹槽
１５        凹塊
３０        磁力器支持バンド
３１        穿孔
３２        カバー体
３３        調節式伸縮ベルト
３３１        結合部
３４        ベルト差込塊
３５        ゴムリング
３６        カバー枠
【図１】
0003102470.tif 000003
【図２】
0003102470.tif 000004
【図３】
0003102470.tif 000005
【図４】
0003102470.tif 000006
【図５】
0003102470.tif 000007
【図６】
0003102470.tif 000008